Podtech/llm-jp-corpus-v4-ja_patent huggingface dataset:
(57)【要約】      （修正有） 【課題】清潔で使用に便利な花立て器を提供する。【解決手段】墓石の花立てにも直接土埋め式にも兼用して使用する為に底部の先を尖らせた事を特徴とする、強化プラスチック製の有低筒状の花立て器。水の取替えが花立て器をそのまま抜き取るだけで出来、花の傾きをなくすスペーサーを設け衛生的で臭いがつかず、上部外形を上広がりにする事で墓石の花立ての内径の大小にも対応可能とし、又上部外形上広がり部分の裏側に滑り止めを施す事で、力が掛け易くなり底部を鋭角な構造にする事で直接容易に、硬い土面にも差し込む事をも可能にした、墓石、土埋め兼用花立て器。【選択図】図１
0003131329.tif 000002
【実用新案登録請求の範囲】
【請求項１】
墓石の花立てにも直接土埋め式にも兼用して使用する為に底部先端を尖らせた事を特徴とする、強化プラスチック製の有低筒状の花立て器。
【請求項２】
前記の花立ての内径の大小に対応出来る様、花立て器上部の外形を上広がりにし、上広がりの部分に滑り止めの鍔を施して墓石の花立てより上に露出する様にし、滑らず安定化を図る事を特徴とする請求項１に記載の墓石、土埋め兼用花立て器。
【考案の詳細な説明】
【技術分野】
【０００１】
墓石用、土埋め用の花立て器に関する。
【背景技術】
【０００２】
従来使用されている花立て器は墓石に直接花を立てていた。その中にある古い水の入れ替えが困難であった。或いは花立て器であっても地の上に挿し込むだけの物であったりした。
【考案の開示】
【考案が解決しようとする課題】
【０００３】
従来、花立ての水を替える手立てがなく、花が腐って臭いが出て困ることが多かった。本発明は容器全体が取り出せるので、清潔であり又、直接土面に埋める事も出来るので便利、上部形状の外形を上広がりにして請求項２記載の滑り止めの役割を持たせる事により滑る事無く、底部を鋭角な構造にする事で大きな力を必要とせず出し入れが容易であり、又、その円錐形の形状が墓石の花立ての内径の大小にも対応可能にした。便利な上、花立て器に色を施す事でお墓と言う暗いイメージをも払拭するものである。
【課題を解決するための手段】
【０００４】
第一の考案は墓石の花立てにも直接土埋め式にも兼用して使用する為に、底部の先を尖らせた事を特徴とする強化プラスチックの有低筒状の花立て器。第二の考案は前記の花立ての内径の大小に対応出来る様、花立て器上部の外形を上広がりにし、上広がりの部分に滑り止めの鍔を施して墓石の花立てより上に露出する様にし、滑らず安定化を図ることを特徴とする、請求項１に記載の墓石、土埋め兼用花立て器。
【考案を実施するための最良の形態】
【０００５】
図１について説明する。花立て器本体１は筒状であり、上部にラッパ状の滑り止め３を有し、底部は有低の尖がり形状４を有する花立て器である。図２は着脱可能なスペーサー２を有する。図３は実際に墓石本体に本花立て器を用いた例を示す。本体は直径4ｃｍ程度にし、高さ15ｃｍ程度の有低筒状の形体である。図３に示すように墓石本体の花立てに挿入する際、墓石によって花立ての穴が大きさの違いがあるため、多少の大きさの違いがあっても挿入出来る様、余裕のある空間を設けられる寸法とした。
【実施例】
【０００６】
花立て器に数種類の色を着色し、使用者が好みの色を選択出来る様にして、通常に創造されている墓石の暗いイメージをも払拭させる墓石、土埋め兼用花立て器。上部外形の上広がり部分の内側にスペーサー設置し花の傾きをなくす。
【産業上の利用可能性】
【０００７】
墓石本体に空間６を有する
【図面の簡単な説明】
【０００８】
【図１】花立て器の斜視図
【図２】花立て器の正面図
【図３】墓石の花立てを挿入した断面図
【符号の説明】
【０００９】
１.花立て器本体
２.スペーサー
３.ラッパ状の滑り止め鍔
４.花立て器底部鋭角部分
５.墓石本体の花立て
６.空間
【図１】
0003131329.tif 000003
【図２】
0003131329.tif 000004
【図３】
0003131329.tif 000005
【手続補正書】
【提出日】平成19年2月22日(2007.2.22)
【手続補正１】
【補正対象書類名】実用新案登録請求の範囲
【補正対象項目名】請求項２
【補正方法】変更
【補正の内容】
【請求項２】
墓石の花立の内径の大小に対応出来る様、花立て器上部の外形を上広がりにし、上広がりの部分に滑り止めの鍔を施して墓石の花立てより上に露出する様にし、滑らず安定化を図る事を特徴とする請求項１に記載の強化プラスチック製の有低筒状の花立て器。
(57)【要約】      （修正有）【課題】片手に茶碗や吸い物椀を持ったまま箸を取り上げる時は、利き手でつまんだ箸を指先で一回りさせなければ使えない。このように、既存の箸置きは、上げ下ろしに両手を必要とし、３動作を必要とするため、使用上不便であるばかりでなく、片手が不自由な場合はいっそう使いにくい。また、すべての子供や若者たちが箸を正しく持てるよう指導することも大切である。箸を使う習慣のない外国人に、箸の使用法を教える際にも苦労する。【解決手段】このような手間や不便を軽減・解消し、持ちやすく、かつ置きやすくするため、また正しい箸の持ち方が自然に身につくよう指導するために、持つ部分が食卓に接する従来の箸置きに代わり、持つ部分が食卓から程よい角度に立ち上がり、箸先部分よりも高くなり、かつ２本の間が適度に開くよう、箸置きの形状を工夫したものである。【選択図】図１
0003131326.tif 000002
【実用新案登録請求の範囲】
【請求項１】
箸が片手で取りやすく、かつ置きやすくするため、箸を置いたとき、手に持つ部分が、食物を挟む先端の部分よりも高くなるように工夫した箸置き。
【請求項２】
箸置きに箸を置いたとき、箸置きの中で、箸先の接する部分が先細の状態であるために、箸先が寄り添いやすく、かつ持ち手の辺りを支える箸置きの縁辺部（箸受け部分）がＷ型になっているために、箸を置けば二本がＶ字形に程よく開き、そのまま持ってすぐ食べられるように工夫した箸置き。
【考案の詳細な説明】
【考案が解決しようとする課題】
既存の箸置きは、手に持つ部分が食卓面に接しているため、食事の際はいったん片手（たとえば左手）で箸をつまみ上げ、利き手（たとえば右手）に持ち替えなければならない。さらに利き手に持った後、２本の間隔を広げなければならない。これは、箸で食事をする場合当然の動作ではあるが、食事中を通じて箸を持つ時と置く時に、その都度２回ないし３回づつの動作が必要であるばかりでなく、ごはん茶碗や吸い物椀等を片手（例えば左手）に持っている場合は、箸を片手（例えば右手）でつまみ上げたあと、箸を指先で一回りさせなければならず、不便である。
また、在来型の箸置きでは通常このように箸の上げ下ろしに両手を用いるため、病気や障害などで片手が不自由な場合には特に不便である。
さらに、近年、箸を正しく持つことの出来ない子供や若者が目につく。
【課題を解決するための手段】
本案は、このような手間と不便を軽減・解消し、かつ正しい箸の持ち方に関する指導効果をもたらすための工夫で、持つ部分が食卓に接する、いわば枕型の従来の箸置きに代わり、持つ部分が食卓を離れて程よい角度に立ち上がり、持つ部分が適度に開くように考えられた半容器型の箸置きである。
即ち箸先内部が靴先のように低くかつ先細になっており、一方箸支え（箸受け）の縁辺部分は箸先部分より高く、かつＷ型となっているために、箸を置けば持つ部分が高くなり、また二本の間が自然にＶ字型に開くため、片手だけで持ってすぐ使えるように工夫されている。
またこの箸置きから箸を持てば、そのまま正しい箸の持ち方となるため、幼時から常用させることにより、誤った持ち癖を防ぎ、容易に正しい持ち方を身につけさせることができる。
【発明の効果】
箸を取り上げやすく、かつ置きやすいため、箸を使う食事が今よりも容易かつ便利になる。また片手が不自由な場合は、この効果はいっそう大きい。
さらに、子供や外国人に対する箸の正しい持ち方の指導にも役に立つ。
本品を食事中のみに使用し、食事の開始前や食事を終えた後、食卓のマナーとして在来型の箸置きに箸をそろえて置くことも随意である。
【図面の簡単な説明】
【図１】  本品の一例を斜め上方から見下ろした図である。
【図２】  本品の一例を前方から見下ろした図である。
【図１】
0003131326.tif 000003
【図２】
0003131326.tif 000004
【手続補正書】
【提出日】平成19年1月30日(2007.1.30)
【手続補正１】
【補正対象書類名】実用新案登録請求の範囲
【補正対象項目名】全文
【補正方法】変更
【補正の内容】
【実用新案登録請求の範囲】
【請求項１】
先端部が先細の形状をなし、後端部が前記先端部に比べて高く形成されたことを特徴とする箸置き。
【請求項２】
前記後端部がＷ形とされたことを特徴とする請求項１に記載の箸置き。
(57)【要約】      （修正有）【課題】衣服を着装した時の型崩れを防ぎ着心地を良くすると同時に、美観を損ねるしわの発生を抑える。【解決手段】臍の辺りから肩を経由して前後の袖刳り４に掛かるように補強芯１となる布地の形を決め次に臍から肩にかけて繊維組織の縦方向が通るように設定し縫製の際に衣服に縫い込むことで衣服の型崩れを防ぐ。【選択図】図３
0003131323.tif 000002
【実用新案登録請求の範囲】
【請求項１】
衣服を着用した時の型崩れを防止する補強芯
【考案の詳細な説明】
【技術分野】
【０００１】  本考案は、衣服を着用した時の型崩れを防止する補強芯に関するものである。
【背景技術】
【０００２】  衣服を着用すると衣服の自重や体の動きにより設計当初の適切な形状が維持できず形状が変形するために衣服が引きつれたりしわが発生し見た目や着装感を阻害していた以前から存在する芯は前の肩から前身頃のみを補強する物しかなく組み込むために特別な熟練した技術を要する上効果的に型崩れを防止出来ていなかった。
【考案の開示】
【考案が解決しようとする課題】
【０００３】  衣服を着用した時の型崩れを防止するにはいかに力の掛かる場所を設計した形のまま保持するかが課題になるが繊維組織は縦横方向にかかる力には強度を示すが斜め方向にかかる力に弱い特性を持っており着装すると特に前の肩部分が後の袖刳りに引かれて前の肩から臍方向に斜めに引かれしわが発生し着心地を悪くし美観を損なっていた。
【問題を解決するための手段】
【０００４】  本考案は前後の袖刳りから肩を通り臍にいたる箇所に縦方向の繊維を有する布地を補強芯として縫い込む事で布地の持つ斜め方向の力に弱い特性を補正し着用した際に前の肩が後袖刳りに引かれてしわが出るのを効果的に防ぐ。
【考案の効果】
【０００５】  本考案はあらかじめ設計段階で力の掛かる方向に合わせて補強芯となる布地の繊維組織の方向を設定し衣服の製作時に生地と一緒に縫込むので後の袖刳りから引かれる力に対抗するまた特別な組み込み技術も必要なく簡単に装着でき効果的に型崩れを防ぐ。
【考案を実施するための最良の形態】
【０００６】  前と後の衣服の型紙を肩で接合し臍の辺りから肩までと前後の袖刳りの肩から３分の２位の所までを覆うように補強芯となる布地の形を決め臍の辺りから肩かけて縦方向の繊維組織が通る様に設定し衣服を縫製する際に前部と前衿刳りと袖刳りにそれぞれ縫い付ける。
【実施例】
【０００７】  以下添付図面に従って本品を衣服の型紙に合わせて設計し装着した実施例を説明する。【０００８】  衣服の型紙前後の肩を合わせて置き毛芯など適宣素材の布地にて臍から肩にかけて縦の繊維組織が通るように布地の方向を設定し次に前の臍の辺りから肩を経由して前後の袖刳りの３分の２位を覆うように布地の形状を決める。【０００９】  縫製の際に補強芯となる布地を前部の身頃と前の衿刳り前後の袖刳りに縫い付ける。
【図面の簡単な説明】
【００１０】
【図１】本考案品を衣服に施行した際の前を示す正面図である。
【図２】本考案品を衣服に施行した際の後ろを示す正面図である。
【図３】本考案品を設計する際の実施例を示す図で有る。
【図４】本考案品を設計した物に繊維の縦方向を指示した正面図である。
【符号の説明】
【００１１】１  補強芯
２  前身頃
３  後身頃
４  袖刳り
５  前衿刳り
６  前部
７  補強芯の縦方向
【図１】
0003131323.tif 000003
【図２】
0003131323.tif 000004
【図３】
0003131323.tif 000005
【図４】
0003131323.tif 000006
【手続補正書】
【提出日】平成19年1月18日(2007.1.18)
【手続補正１】
【補正対象書類名】実用新案登録請求の範囲
【補正対象項目名】全文
【補正方法】変更
【補正の内容】
【実用新案登録請求の範囲】
【請求項１】
衣服を製作する際に臍の辺りから肩までと前後の袖刳りまでを覆い、臍の辺りから肩にかけて縦方向の繊維組織が通る様に設定した布地を補強用として前部と前衿刳り袖刳りにそれぞれ縫い付ける事で布地の持つ斜め方向に引かれる力に弱い特性を補正し、着用した際に前の肩が後から引かれてしわを生じ型崩れするのを効果的に防ぐ補強芯
(57)【要約】      （修正有）【課題】簡単で手軽にできる静電気防止靴を提供する。【解決手段】導電性の金属鋲Ｐを靴底に設けるものであって、鋲の頭を平にするものＡ、山形に形成するものＡ１と２種有り、山形に形成した鋲Ａ１は、足裏マッサージ効果を奏する。【選択図】図１
0003131398.tif 000002
【実用新案登録請求の範囲】
【請求項１】
Ｔ字型に成形した導電性金属鋲Ａを靴の踵部に打込み固定したことを特徴とした静電気防止靴。
【請求項２】
Ｔ字型に成形した導電性金属鋲の頭部を山形に成形した導電性金属鋲Ａ１を靴底の踵部以外の部位に打込み固定したことを特徴とした静電気防止靴。
【請求項３】
導電性金属鋲を銅製品とし、鋲の足を靴底接地面までの長さよりやや短くすることを特徴とした請求項１又は２に記載の静電気防止靴。
【考案の詳細な説明】
【技術分野】
【０００１】
本考案は、導電性の金属鋲を靴の内側から靴底に達するように打込み装着し、身体に帯電している静電気を地面にアースすること及び足裏を刺激して身体の疲労を回復させる静電気防止靴に関する。
【背景技術】
【０００２】
従来から静電気防止の靴は数多く開発されている。しかし仲々市場に出ることはなく、一般の靴店で見ることは少ない。
【特許文献１】特開２０００−１９９５０２号公報
【考案の開示】
【考案が解決しようとする課題】
【０００３】
しかし、数多く開発されている考案も靴に導電板を取付けるものであって、足に違和感があり、実用性に欠けるばかりか、その効果も疑わしい。
【課題を解決するための手段】
【０００４】
考案者はこの点について鋭意研究を重ね本考案に到達したのであって、摩擦などで身体にたまる静電気はドアーなどに触れたときにスパークして非常に恐ろしい思いをすること、また静電気が身体に溜まると健康にも悪いといわれる。この身体に溜まる静電気を、身体と地面が常に靴底に設けた鋲によって接地されている状態となっていて、静電気を常にアースさせることを第１の目的とし、
【０００５】
さらに他の目的は、鋲を山型として靴に打つ位置を変えることによって疲労の回復を得る指圧効果を発揮させることを第２の目的とするものである。
【０００６】
即ち靴底に設ける鋲は図示するように図２に示す形状のものと、図３に示す形状の２種類とし、図２の鋲は頭を平板とし、鋲の足の長さをやや長く成形する。この鋲は靴の踵部に打着ける鋲で、頭を平板として踵に当る感じをやさしくし、また図３の鋲は頭を山型とし、鋲の足の長さを短く形成する。この鋲は足の土踏まずに当る靴底に打込む鋲で、足裏に当る山型の違和感で指圧マッサージ的作用を得る。
【考案の効果】
【０００７】
本考案静電気防止靴は２種類の鋲を使用するもので、靴への装着は極く簡単であり、一方の鋲を使用したときは静電気防止靴としてのみの効果で、他方の鋲を使用したときは、静電気防止靴の他に足裏へのマッサージ的効果を奏するもので、相方共靴に対して、後から必要に応じて装着し得て、この利用効果は極めて大きい。
【考案を実施するための最良の形態】
【０００８】
添付図面により本考案を実施するための最良の形態を説明すると、図１は静電気防止鋲を取付けた靴の断面図であって、図について説明すると、靴底の踵の部分に打込んだものと土踏まずの部分の２箇所を示してあるが、作図上のことで、踵に用いる靴と土踏まずに用いたものとは別々に利用する。
【０００９】
図２は頭を平に形成した鋲であって靴の踵部分に使用する。また図３の頭を山型に形成した鋲は足の土踏まずの部分に使用する鋲であって、
靴底が薄いため図示の如く鋲の足を短く形成する。なお鋲の先は２ｍｍ程度内側にあることが望ましい。
【実施例】
【００１０】
本考案に使用する鋲は導電性金属材料であれば同様にアース効果は有るが、導電性、耐火性の点からみると銅・鉄・アルミ・導電ゴム等考えられるが銅が最良と考えられる。
【００１１】
更に図１のうち踵部に鋲を使用する場合の実施例では、体重が大きくかかるため鋲の頭を平に形成し、鋲の足の長さは、靴底の接地面より２〜３ｍ／ｍ短い長さとする。
【００１２】
また足の土踏まずの部分に使用する鋲は、頭を山型とし、靴底が薄いため鋲の足を短く形成して靴底の接地面より２〜３ｍ／ｍ短く成形する。この土踏まずの部分は足のツボが一番集中している部分であって、しかも体重が分散する部分のため靴底から感じとる鋲自体の山型は違和感なくマッサージ的癒し感として効果がある。したがって場合によっては２〜３個設けることもできる。
【産業上の利用可能性】
【００１３】
上述のように本考案の静電気防止靴は、靴底に鋲を打込むのみの簡単な構成であるにも拘らず、違和感もなくごく自然に使用でき静電気防止効果も十分でこの靴の利用度合は大であると確信する。
【図面の簡単な説明】
【００１４】
【図１】靴の断面を示す実施例図
【図２】静電気防止用の鋲
【図３】別な実施例図の鋲
【符号の説明】
【００１５】
Ａ  静電気防止用の鋲
Ａ−１  別な静電気防止用の鋲の実施例図
Ｐ  鋲の接地点
【図１】
0003131398.tif 000003
【図２】
0003131398.tif 000004
【図３】
0003131398.tif 000005
(57)【要約】      （修正有）【課題】不審者が侵入し埋蔵型防犯用具に触れると、カメラ、ベル、電話が始動し、警察、防犯会社、ご近所さんに直ちに連絡が取れる埋蔵型防犯用具を提供する。【解決手段】蓋部と本体から成り、本体の上部には複数のスイッチを設け地中へ埋蔵する。また、配線により防犯ベル、拡声器、自動連絡電話、防犯カメラと接続し、配線には１本１本にブレーカを設ける。【選択図】図１
0003131393.tif 000002
【実用新案登録請求の範囲】
【請求項１】
埋蔵型防犯用具、蓋部と本体から成る、本体の上部には複数のスイッチを設け地中えの埋蔵型防犯用具。
【請求項２】
埋蔵型防犯用具は、配線により防犯ベル、拡声器、自動連絡電話、防犯カメラを備えた請求項１記載の埋蔵型防犯用具。
【請求項３】
埋蔵型防犯用具の配線には１本１本にブレーカを設けたことを特徴とした請求項１,２記載の埋蔵型防犯用具。
【考案の詳細な説明】
【技術分野】
【０００１】
本考案は防犯器具が作動すると直ちに廻り住民、契約の防犯会社、管轄の警察に直接に連絡が取れるシステムになっている埋蔵型防犯用具に関するものである。
【背景技術】
【０００２】
現在の防犯器具は、殆どが屋内に侵入されてからの態様になっているのが殆どであるが、現在の犯罪の傾向は、凶暴な犯行が急増しており、屋内に侵入されてからの態様は非常に危険で、又、野作物、工場、倉庫なぞの盗難も増加、敷地内に進入された場合に直ちに対応されなければ一大事になりかねないのが現実である。
【考案の開示】
【考案が解決しようとする課題】
【０００３】
而して、上記防犯器具は、既に市販に供されているが、直ちに廻り住民、又、防犯会社、所轄の警察等々に不審者の進入を知らせる事も侵入者から身を守る事が出来ないのが現状である。
【課題を解決するための手段】
【０００４】
本考案は，埋蔵型防犯用具、蓋部と本体から成る、本体の上部には複数のスイッチを設け地中えの埋蔵型防犯用具である。更に埋蔵型防犯用具は、配線により防犯ベル、拡声器、自動連絡電話、防犯カメラを備えた防犯用具で本考案は、地域住民とも毎日のお付合いも大事にし、所轄の警察にも協力してもらい、一件の犯罪をも減らしていかなければ成らない悲しい状況に現在の日本は成っている。
【考案の効果】
【０００５】
本考案によって屋外に埋蔵型防犯用具を備えることが出来るために農作物や倉庫等の盗難防止が可能となる。
【考案を実施するための最良の形態】
【０００６】
本考案は防犯器具に、地域住民の横の繋がりも、所轄警察の協力の元、犯罪を未然に防ぎ、より良い生活、安全な暮らし、地域の輪を大切にして犯罪のない地域、市、県、国を形成する事を願い人々の住み良い世界を作る。
【産業上の利用可能性】
【０００７】
而して、現在の防犯器具の多くは、屋内に侵入されてからの態様に成っているがうえに大変身の危険を避ける事が難しく、１人の力だけでは、犯罪から身を守る事も、家族を守る事も大変である。このような状況下での防犯用具として利用できる。
【図面の簡単な説明】
【０００８】
【図１】本考案に係る防犯器具の概略斜視図である。
【図２】本考案に係る正面図。
【図３】本考案に係る電気配線説明図
【符号の説明】
【０００９】
１  防犯器具上部（蓋）
２  土台部（本体）
３  配線
４  スイッチ突起部
５  バネ
６  ON~OFFスイッチ
７  防犯ベルと拡声器
８  連絡自動電話
９  防犯カメラ
１０  ブレーカ
【図１】
0003131393.tif 000003
【図２】
0003131393.tif 000004
【図３】
0003131393.tif 000005
(57)【要約】【課題】ニードルを貫通後もシール性能を保ち、かつ再使用が出来る試料瓶用セプタムレスシールであり、試料や溶媒が有機物で汚染されることのない、消耗品費用を節減できる特徴を有する物である。【解決手段】ゴム等の有機物を使用せず、ボール４、ボールシート２の密着性を高める為、高い磁力をボールシート２中央に集中させる磁石３の構造、材質とした。また磁力により、ボール４がボールシート２に密着する力を高める為、重量が軽く、磁石３に引き付けられやすいボール４の材質、真球度、平滑度の良い品質を選び、かつボールシート２はこのボール４および試料瓶や溶媒瓶と密着し易い形状、材質、品質にすることにより密着性を大きく改善させた。ニードル貫通後、ニードルが瓶より、抜け出ると同時に、ボールが磁石により、引きつけられ、元通りのシール性能を保つことにより問題点を解決している。【選択図】図１
0003131394.tif 000002
【実用新案登録請求の範囲】
【請求項１】
オープントップの試料瓶及び溶媒瓶のニードル貫通部として、磁石と金属製ボールを、用いることで、シール性能を損なうことなく、試料や溶媒が、有機物で汚染されないことを特徴とする試料瓶用セプタムレスシール。
【考案の詳細な説明】
【技術分野】
【０００１】
本考案は、ニードル貫通部に、磁石と金属製ボールを設けたシールに関するものである。
【背景技術】
【０００２】
ニードルを貫通できる、オープントップの試料瓶や溶媒瓶のセプタムとして、フッ素樹脂パッキン、フッ素樹脂ラミネートゴムパッキン、フッ素樹脂ラミネートシリコンゴムパッキンや切込み付きパッキンが使用されている。
【特許文献１】ＵＳ  ＰＡＴＥＮＴ  ４８５４１８１  ＡＵＧＵＳＴ  １９８９
【特許文献２】ＵＳ  ＰＡＴＥＮＴ  ５０６２３１０  ＮＯＶＥＮＢＥＲ  １９９１
【考案の開示】
【考案が解決しようとする課題】
【０００３】
以上に述べた従来の試料瓶セプタムについて、フッ素樹脂パッキンは、ニードル貫通により、シール性能はなくなる。フッ素樹脂ラミネートゴムパッキン、フッ素樹脂ラミネートシリコンゴムパッキンは、ニードル貫通後もシール性能は保たれるが、ゴムが表出し、試料や溶媒の蒸気に犯され、特に低沸点溶媒では、瓶内の蒸発凝縮により試料及び溶媒へ、ゴムが溶け込む問題を含んでいる。またニードル貫通時、ニードルとゴムが擦れることにより、ゴムのかけらを、試料や溶媒に落として、それらを汚染する。切込み付きパッキンは、ゴムの表出、ニードルとゴムの擦れる割合は、前記のものより、やや軽減されるが、問題解決にはならない。またこれら全ては、ニードルを貫通する毎に、試料を変える毎に交換するため、消耗品費用が多大となる。これらの問題を、磁石と金属製ボールにてシールすることで解決しようとするものである。
【課題を解決するための手段】
【０００４】
ゴム等の有機物を用いず、磁石方式でシール性能を高めること。そのため、ボール４、ボールシート２の密着性を高める為、高い磁力をボールシート２中央に集中させる磁石３の構造、材質とした。また磁力により、ボール４がボールシート２に密着する力を高める為、重量が軽く、磁石３に引きつけられやすいボール４の材質とした。さらにボール４は真球度、平滑度の良い品質を選び、またボールシート２はこのボール４および試料瓶や溶媒瓶と密着し易く、かつボール４がニードルの通過により滑らかに動く形状、材質、品質にすることにより密着性を大きく改善させた。ニードル貫通後、ニードルが瓶より、抜け出ると同時に、ボール４が磁石３により、引きつけられ、元通りのシール性能を保つことで
問題点を解決している。
【考案の効果】
【０００５】
上述したように、本考案の試料瓶用セプタムレスシールは、ゴムなどの有機物を使用せずに、シール性能をニードル貫通後も保持することが可能となり、試料や溶媒がゴムなどの有機物にて汚染されることはなくなった。また使用後、試料瓶用セプタムレスシールを溶媒洗浄し、再使用することで、消耗品費を節約できる結果となった。
【考案を実施するための最良の形態】
【０００６】
まずボール４とボールシート２が磁石３の磁力により密着して、シールが完了している状態で、試料瓶または溶媒瓶５の口へ、ボール４が下になるように挿入し、試料瓶または溶媒瓶５のオープントップキャップ１を上からかぶせ、締めこむ。試料瓶または溶媒瓶５の口とボールシート２がオープントップキャップ１を締めこむことで密着し、ボール４とボールシート２の密着と相まって、試料瓶または溶媒瓶５内の揮発性溶液６の蒸気が漏れることを防いでいる。ボールシート２の上部の径は、オープントップキャップ１の内径よりやや小さめにすることで、ボールシート２がオープントップキャップ１から外れやすく、かつボールシート２が試料瓶または溶媒瓶５の口内径の中央に装着されるようにする。
【実施例】
【０００７】
以下、添付図面に従って実施例を説明する。通常の動作は、試料瓶または溶媒瓶５内の揮発性溶液６の蒸気が漏れない状態図１からニードル７がオープントップキャップの上部中央から挿入され、ニードル先端が、ボール４に当たり、ボール４をボールシート２の傾斜に添って押し下げ、試料瓶または溶媒瓶内５の揮発性溶液６まで突き進んだ状態図２へ移る。このときボール４は磁石３の磁力により、ボールシート２の下端に保持される図２。次にニードル７先端がニードルシール２を上へ抜け出ると同時に、ボール４がボールシート２の傾斜に添って磁石３の磁力によりボールシート２の中央に引き付けられ初期のシール状態図１へ戻ることにより、ニードル貫通後もシール性能を保持する。磁石３はボールシート２の内側へ圧入されて、簡単には外れない構造となっており、ボール４と共に溶媒にて洗浄することで、再使用できる。
【図面の簡単な説明】
【０００８】
【図１】セプタムレスシールを試料瓶に装着した図
【図２】セプタムレスシールを装着した試料瓶にニードルを挿入した図
【符号の説明】
【０００９】
１  オープントップキャップ
２  ボールシート
３  磁石
４  ボール
５  試料瓶
６  揮発性溶液
７  ニードル
【図１】
0003131394.tif 000003
【図２】
0003131394.tif 000004
(57)【要約】      （修正有）【課題】キーボードで入力できない者に便利なタブレット付きのノートパソコンを提供する。【解決手段】ノートパソコン８と、ノートパソコン上に設けられているディスプレイ４およびキーボード６と、キーボード上に設けられているキー３およびタッチ・マウス５とを備え、前記タッチ・マウスの右側にタブレット２とタブレット用のペン１を設ける。【選択図】図１
0003131359.tif 000002
【実用新案登録請求の範囲】
【請求項１】
ノートパソコン８と、ノートパソコン８上に設けられているディスプレイ４およびキーボード６と、キーボード６上に設けられているキー３およびタッチ・マウス５とを備え、前記タッチ・マウス５の右側にタブレット２とタブレット用のペン１が設けられることを特徴とするタブレット付きのノートパソコン。
【請求項２】
前記キーボード６上にタブレット用のペン１の差込口７が備えられていることを特徴とする請求項１記載のタブレット付きのノートパソコン。
【考案の詳細な説明】
【技術分野】
【０００１】
本考案は、ノートパソコンの構造の進歩に関する。
【背景技術】
【０００２】
近頃のノートパソコンは、携帯性と簡単に利用できるため、人々に愛顧されているが、キーボードで入力できない中高年者にとっては、簡単に使うことができないものである。仕方なく、外部タブレット（例えば、漢王タブレット）などと組み合わせて利用されなければならない。このような方法では、とても不便で、しかも利用者の経済負担が増加して、ノートパソコンの便利さをも損なうことになる。
【考案の開示】
【考案が解決しようとする課題】
【０００３】
本考案は、上述の問題に対応して、キーボードで入力できない者に便利なタブレット付きのノートパソコンを提供することを目的とする。
【課題を解決するための手段】
【０００４】
本考案は、ノートパソコンと、ノートパソコン上に設けられているディスプレイおよびキーボードと、キーボード上に設けられているキーおよびタッチ・マウスとを備え、前記タッチ・マウスの右側にタブレットとタブレット用のペンを設けられることを特徴とする。
【考案の効果】
【０００５】
１．キーボードで入力できない者に便利にノートパソコンを使わせること。
タッチ・マウスの右側にタブレットとタブレット用のペンを設けられているため、キーボードで入力できない者は、タブレットで入力できるようにしたことにより、キーボードで入力できない中高年者と幼児に簡単に利用できるようにするだけではなく、その上、大いにノートパソコンの利用者の範囲を拡大できる。
【０００６】
２．ノートパソコンの機能を拡充させること。
タッチ・マウスの右側にタブレットとタブレット用のペンを設けられているため、タブレットで署名できるようにして、重要なファイルの署名に対する需要を満たされる。その他に、タブレットで速くて簡単な図案を描くことができるので、ノートパソコンの利用効率を高めることができる。
【考案を実施するための最良の形態】
【０００７】
本考案は、ノートパソコン８と、ノートパソコン８上に設けられているディスプレイ４およびキーボード６と、キーボード６上に設けられているキー３およびタッチ・マウス５とを備え、前記タッチ・マウス５の右側にタブレット２およびタブレット用のペン１が設けられている。
【０００８】
タブレット２は一般的なタブレット２の技術を採用すればいいが、これは当業者には実施し易い技術であるから、ここで詳しい説明を省略する。
【０００９】
ディスプレイ４あるいはキーボード６の任意の位置でタブレット用のペン１の差込口７を設置すればいい。例えば、キーボード６上にタブレット用のペン１の差込口７を設けた場合、タブレット用のペン１を使わない時に、タブレット用のペン１を差込口７内に保管して、本考案に係るノートパソコン８をきれいに、きちんとさせる。
【図面の簡単な説明】
【００１０】
【図１】本考案のノートパソコンの構造を説明する図である。
【符号の説明】
【００１１】
１  タブレット用のペン
２  タブレット
３  キー
４  ディスプレイ
５  タッチ・マウス
６  キーボード
７  差込口
８  ノートパソコン
【図１】
0003131359.tif 000003
【手続補正書】
【提出日】平成19年2月22日(2007.2.22)
【手続補正１】
【補正対象書類名】実用新案登録請求の範囲
【補正対象項目名】請求項１
【補正方法】変更
【補正の内容】
【請求項１】
ノートパソコン８と、ノートパソコン８上に設けられているディスプレイ４およびキーボード６と、キーボード６上に設けられているキー３およびタッチ・マウス５とを備え、前記タッチ・マウス５の右側にタブレット２が設けられ、さらに、タブレット用のペン１を備えることを特徴とするタブレット付きのノートパソコン。
(57)【要約】【課題】  １つ以上のミラーの鏡像に追加した１つ以上のカメラレンズ像を集中監視して地震・津波・台風・たつまき・大雨・雷・ハリケーン等太陽光スペクトラムと水の形態変化によるおきる自然災害の気象予測と対策のＮＥＥＤＳに対する電磁波スペクトラム・電荷及び百葉箱要素（温度・湿度・気圧・風速・風向・降雨量）の測定環境を観察する能力向上が計れるエコロジー処理コンピュータヴィークルシステム。【解決手段】  環境監視システムカメラ部２によるカメラレンズ像を追加した周囲監視システムＴＶ部１でＩＴＶを構成する集中監視により雲・霧・水滴・とその測定環境を観察する能力向上を計るエコロジー処理コンピュータヴィークルシステムに関する。【選択図】          図１
0003131354.tif 000002
【実用新案登録請求の範囲】
【請求項１】
ＩＴＶを周囲監視システムＴＶ部と周囲監視システムカメラ部に別けて設ける事に於て百葉箱要素（温度・湿度・気圧・風速・風向・降雨量）に追加した電磁波スペクトラム・電荷測定機の機外・船外・車外測定環境を乗客及び運転手に知らせるエコロジー処理ジンピュータヴィークルシステム。
【請求項２】
前述のＩＴＶをＴＶ送信機システムとしたエコロジー処理コンピュータヴィークルシステム。
【請求項３】
周囲監視システムカメラ部に１００万分の１秒高速度カメラを採用したエコロジー処理コンピュータヴィークルシステム。
【考案の詳細な説明】
【技術分野】
【０００１】
本考案は、従来のエコロジー処理コンピュータヴィークルシステムとしてのバック及びサイドミラー付きのエコロジー処理コンピュータヴィークルシステムに関する。
【背景技術】
【０００２】
バック及びサイドミラー付きのエコロジー処理コンピュータヴィークルシステムは、バック及びサイドミラーの数と取付位置とそれを回転するモータにより電磁波スペクトラム・電荷及び百葉箱要素（温度・湿度・気圧・風速・風向・降雨量）の測定環境を観察するものである
【考案の開示】
【考案が解決しようとする課題】
【０００３】
しかしながら、バックおよびサイドミラーの数と取付位置に発生する鏡像を監視する行為が測定環境を観察する能力向上に到らなかった。
【０００４】
本考案は上記実情に鑑みてなされたものであり、ミラーの鏡像に追加したレンズによるレンズ像（雲・霧・水滴）を監視する行為で能力を向上することを目的としている。
【課題を解決するための手段】
【０００５】
上記目的を達成するため考案は、監視する行為の対象となる像を乗客及び運転手に同時に知らせることであり次の構成を含むことを特徴としている。ＩＴＶを一組以上の周囲監視システムＴＶと周囲監視システムカメラ部に別けて設けて集中監視するものである。
【考案の効果】
【０００６】
本考案により集中監視できるＩＴＶ画像により乗客及び運転手に百葉箱要素（温度・湿度・気圧・風速・風向・降雨量）及び電磁波スペクトラム・電荷の測定環境を知らせることができる。
【考案を実施するための最良の形態】
【０００７】
本考案の実施の形態の一例について、図面を参照しながら説明する。
【図面の簡単な説明】
【０００８】
【図１】本考案のエコロジー処理コンピュータヴィークルシステムを示す図である。
【符号の説明】
【０００９】
１      環境監視システムＴＶ部  
２      環境監視システムカメラ部
３      航空機
４      列車
５      自動車
６      船舶
７      ケーブルカー
【図１】
0003131354.tif 000003
【手続補正書】
【提出日】平成19年2月22日(2007.2.22)
【手続補正１】
【補正対象書類名】実用新案登録請求の範囲
【補正対象項目名】全文
【補正方法】変更
【補正の内容】
【実用新案登録請求の範囲】
【請求項１】
ＩＴＶシステムを採用し百葉箱要素（温度・湿度・気圧・風速・風向・降雨量）に追加した電磁波スペクトラム・電荷測定機による機外・船外・車外測定の監視情報を周囲監視システムＴＶ部と周囲監視システムカメラ部で乗客及び運転手に提供するエコロジー処理コンピュータヴィークルシステム。   
【請求項２】
前述のＩＴＶシステムをＴＶ送信機の構成の一部とした事を特徴とする請求項１記載のエコロジー処理コンピュータヴィークルシステム。
【請求項３】
周囲監視システムカメラ部に１００万分の１秒高速度カメラを採用した事を特徴とする請求項１記載のエコロジー処理コンピュータヴィークルシステム。
(57)【要約】      （修正有）【課題】母豚の乳首を損傷しない使用箇数の増大（梅山豚で最大３２）が計れる豚乳しぼりマウスピースの提供。【解決手段】牛乳乳しぼりマウスピースに似せた母豚の乳首のデスマスクによる形状・大きさの最適化を計る豚乳しぼりマウスピース。【選択図】図１
0003131356.tif 000002
【実用新案登録請求の範囲】
【請求項１】
牛乳搾乳システムの母牛用マウスピースに似せた母豚の乳首のデスマスクにより形状・サイズを最適化し使用箇数（梅山豚で最大３２個）の増大を計った豚乳しぼりマウスピース。
【考案の詳細な説明】
【技術分野】
【０００１】
本考案は、従来の豚乳しぼりマウスピースとしての牛乳しぼりマウスピースに関する。
【背景技術】
【０００２】
牛乳しぼりマウスピースは、牛の子の乳の吸い口にまねた母牛の乳首に最適の形状としたものである。
【考案の開示】
【考案が解決しようとする課題】
【０００３】
しかしながら、牛乳しぼりマウスピース（搾乳器）は、大ヨークシャー、ランドレース、中ヨークシャー、バークシャー、ハンプシャー、デュロックタムウオース、ビエトレン、ゲッチンゲン、梅山豚、桃園種の乳首に大きすぎて、使用箇数を増やす（梅山豚は平均１７頭出産）にも困難であった。
【０００４】
本考案は上記実情に鑑みてなされたものであり、豚の乳首に合った大きさのマウスピース作りを目的としている。
【課題を解決するための手段】
【０００５】
上記目的を達成するため考案は、母牛の乳首の大きさと形状でない、母豚の乳首の大きさと形状のマウスピースとすることであり、次の構成を含むことを特徴としている。
母牛の乳首用マウスピースに似せた母豚の乳首のデスマスクによる形状と大きさのマウスピースにより搾乳するものである。
【考案の効果】
【０００６】
本考案により、母豚の乳首を損傷しないで、使用箇数（梅山豚は最強３２頭出産）も多く搾乳できる。
【考案を実施するための最良の形態】
【０００７】
本考案の実施の形態の一例について、図面を参照しながら説明する。
豚乳しぼりマウスピースは、図１に示すように、豚１、豚乳（豚乳をそのまままたは、お好みの飲み物（水、コーヒー、紅茶、牛乳、ジュース）に混入加工製品２）、母豚乳首３、豚乳しぼりマウスピース４である。
【図面の簡単な説明】
【０００８】
【図１】本考案の豚乳を示す図である。
【符号の説明】
【０００９】
１        豚
２        豚乳
３        母豚乳首
４        豚乳しぼりマウスピース
【図１】
0003131356.tif 000003
【手続補正書】
【提出日】平成19年2月22日(2007.2.22)
【手続補正１】
【補正対象書類名】実用新案登録請求の範囲
【補正対象項目名】請求項１
【補正方法】変更
【補正の内容】
【請求項１】
牛乳搾乳システムの母牛用マウスピースに似せた母豚の乳首のデスマスクにより形状・サイズを最適化し使用箇数の増大を計った豚乳しぼりマウスピース。
(57)【要約】【課題】  本考案は、デスクチェアーの機能と仮眠まで出来るリクライニング機能を併せ持つ、１台２役の椅子を提供する。【解決手段】  本考案はリクライニングチェアー本体のシート支柱を肘支柱ａ，背支柱ｂ，座支柱ｃと独立させることによって、上下可動肘を備え、座、背シートが連動して水平に近い状態までリクライニングするようにし、重心が常に本体の中心になるようにし、安定性を実現した。また、キャスター付脚を付け移動を容易にし、付属足乗せを使用して仮眠も出来るようにした。【選択図】図４
0003131387.tif 000002
【実用新案登録請求の範囲】
【請求項１】
シート支柱を肘支柱ａ，背支柱ｂ，座支柱ｃと、独立した支柱にすることによって上下可動肘を備えつつ、重心が安定したまま座と背が連動して水平近くまでリクライニングし、移動が容易なキャスター付脚を取り付けたデスクチェアーの機能を併せ持つ、１台２役のキャスター付リクライニングパーソナルチェアー。
【考案の詳細な説明】
【技術分野】
【０００１】  本考案は、仮眠が出来るほどリクライニングすることが出来るパーソナルチェアーに、デスクチェアーの機能を併せ持たせた椅子に関するものである。
【背景技術】
【０００２】  従来のデスクチェアーはリクライニング式と言ってもロッキングする程度のもので、仮眠まで出来るものはなかった。
【考案の開示】
【考案の解決しようとす課題】
【０００３】  デスクチェアーの機能に、仮眠も出来るリクライニング式パーソナルチェアーの機能を一体化する事により、１台で２役の機能をもたせるものである。
【課題を解決するための手段】
【０００４】  本考案は、リクライニングチェアーのシート部分を支える支柱を工夫し、肘支柱ａ，背支柱ｂ，座支柱ｃと独立させることによって、上下可動肘を備え、座、背シートが連動して水平に近い状態までリクライニング出来るようにし、移動が容易なキャスター付脚を備え且つ重心がキャスター付脚の中心になるようにして、安定性を確保した。
【考案の効果】
【０００５】  今まで別々にそろえなければならなかった、デスクチェアーとパーソナルチェアーが、この１台で済むようになる。
【考案の実施するための最良の形態】
【０００６】  本体肘部に上下可動式肘を付け、シート座面下部にリクライニングを止めるネジ式つまみを付ける。脚部にはキャスター付５本脚を付け、移動しやすく、且つ安定させることにより、デスクチェアーとしての機能を保持する。またシート支柱を工夫して水平に近い状態までリクライニングするようにし、且つ重心が常にキャスター付５本脚の中心になるようにし安定性を確保する。足乗せ（オットマン）をセットすることにより、パーソナルチェアーの機能を保持させた。
【実施例】
【０００７】  以下、添付図面に従って一実施例を説明する。ａは上下可動式肘、ｂは背シート支柱、ｃは座支柱でｂとｃにより水平近くまでリクライニングし、ｃのつまみを締める事でリクライニングが止まり安定性が確保される。ｄはキャスター付５本脚で移動しやすくなる。ｅは足乗せで、仮眠時足を乗せたりする。
【図面の簡単な説明】
【０００８】
【図１】本体支柱
【図２】本考案のデスクチェアー且つリクライニング式パーソナルチェアーの一実施例を示す姿図である。
【図３】デスクチェアーとしての姿図である。
【図４】リクライニング式パーソナルチェアーとしての姿図である。
【符号の説明】
【０００９】  ａ  上下可動肘
ｂ  背シート支柱
ｃ  座シート支柱
ｄ  キャスター付５本脚
ｅ  背シート
ｆ  座シート
ｇ  足乗せ
【図１】
0003131387.tif 000003
【図２】
0003131387.tif 000004
【図３】
0003131387.tif 000005
【図４】
0003131387.tif 000006
(57)【要約】【課題】    長時間使用しても脇当部で体重を支えた脇の下や把持部を握り締めた手のひらが痛くなることの少ない松葉杖を提供する。【解決手段】松葉杖の脇当部および把持部の少なくとも一方の構造部材の上側に低反発素材からなる緩衝部材を設ける。【選択図】図１
0003131382.tif 000002
【実用新案登録請求の範囲】
【請求項１】
脇当部および把持部の少なくとも一方の構造部材の上側に、低反発素材からなる緩衝部材を設けたことを特徴とする松葉杖。
【考案の詳細な説明】
【技術分野】
【０００１】  この考案は、長時間使用しても脇当部で体重を支えた脇の下や把持部を握り締めた手のひらが痛くなることの少ない松葉杖に関する。
【背景技術】
【０００２】  従来、松葉杖は脇当部と把持部とで体重を支えて長時間使用するために、脇当部を挟んだ脇の下や把持部を握り締めた手のひらの強く力を加える特定の部分が痛くなり、酷いときには炎症を起こすこともあった。これを防止するため下記特許文献１および２に見られるように、脇当部や把持部の固い構造部材の上側や周囲に柔らかい緩衝部材を設けることが知られている。しかし柔らかい緩衝部材であっても脇の下や手のひらの強く力が加わる特定の部分が凹んで芯の構造部材に強く当るため、程度の差はあっても長時間使用するあいだに脇の下や手のひらの特定の部分が痛くなるという欠点があった。
【特許文献１】  実用新案登録第３０１３５１２号
【特許文献２】  実開平７−４３０７９号
【考案の開示】
【考案が解決しようとする課題】
【０００３】  この考案の目的は、上記従来装置の欠点を改良することであり、脇の下や手のひらの強く力が加わる特定の部分だけが痛くなることの少ない緩衝部材を備えた松葉杖を提供することである。
【課題を解決するための手段】
【０００４】  上記課題を解決するため、この考案の松葉杖は、脇当部および把持部の少なくとも一方の構造部材の上側に低反発素材からなる緩衝部材を設けたことを特徴としている。
【考案の効果】
【０００５】  低反発素材からなる緩衝部材は、脇の下や手のひらの形状に合わせて凹むため体重を支えるために強く力が加わる特定の部分だけでなくその周辺部分も形状に応じて凹み、このため力が特定の部分だけでなく周辺の部分にも分散して加わるから、長時間使用しても脇の下や手のひらの力の加わる特定の部分だけが痛くなることが少ないという効果を奏する。
【考案を実施するための最良の形態】
【０００６】  図面を参照しながらこの考案の松葉杖について説明する。図１はその全体図、図２はその脇当部の拡大図、また図３は把持部の拡大図である。松葉杖１は、木、金属、プラスチック等の丈夫な構造部材からなり、下端が結合された２本の側方部材２、側方部材２の上端部を結合するように設けられた脇当部３およびその中段に設けられた把持部４を備えている。【０００７】  脇当部３は、構造部材の上側中央が脇の下の形に合わせて湾曲していて、湾曲部分全体の上側に市販の低反発素材３１が適当な厚さ（例えば２〜４ｃｍ）で設けられ、その上面全体が皮革、布、ゴムなどの柔らかい被覆部材３２で覆われている。低反発素材３１は、脇の下が当ったときその形状に合わせて凹むため、強く力が加わる脇の下の特定部分だけでなくその周辺部分もその凹凸形状に応じて凹み、このため力が特定の部分だけでなく周辺部分にも分散して加わり、長時間使用した場合に特定の突出部分が痛くなることを防止したりあるいは症状の出方を和らげる効果がある。【０００８】  脇当部３の上側中央を脇の下の形に合わせて湾曲させているのは、把持部４から手を離して松葉杖１を脇の下だけで支持した場合に脇の下から外れにくくするためであり、例えば切符を買うなどの両手を使わなければならない動作をする際に松葉杖１が脇の下から外れて転倒するなどの危険を防止することができる。【０００９】  把持部４は、円柱状の構造部材の周囲に脇当部３に用いたと同様の市販の低反発素材４１が所定の厚さ（例えば１〜２ｃｍ）巻回されその外側が脇当部３の被覆部材３２と同様な被覆部材４２で覆われている。把持部４を強く握って体重を加えたとき、低反発素材４１は手のひらおよび指の形状に合わせて凹むため、手のひらや指の強く力が加わる特定の突出部分だけでなく手の凹凸形状に応じて全体が凹み、このため力が特定の突出部分だけでなく周辺部分にも分散して加わるようになっていて、特に手のひらの体重を支える部分の痛みを防止し和らげる。【００１０】  なお、把持部４の構造部材の周囲全体に低反発素材４１を巻回する代わりに、特に体重をかけて手のひらで支える構造部材の上側部分だけに設けた場合でもそれ相応の効果が期待できる。また、脇当部３および把持部４の両方に低反発素材を設けなくても、そのいずれか一方にだけ設け他方には従来知られている緩衝部材を使用した場合でも相応の効果があることは言うまでもない。【００１１】  図４は、脇当部３の構造部材の上面が湾曲していない直線形状をした松葉杖にこの考案を使用した場合を示したものであり、脇当部３に低反発素材３１および被覆部材３２を設けた点およびその作用効果は前述したと同様である。【００１２】  また図５は、側方部材２が２本でなく１本だけの松葉杖に使用した場合を示したものであり、側方部材２に突設された脇当部３に低反発素材３１とそれを覆う被覆部材３２を設けた点および把持部４に低反発素材４１とそれを覆う被覆部材４２を設けた点は上述したと同様であり、同様の作用効果を奏するものである。
【図面の簡単な説明】
【００１３】
【図１】この考案の松葉杖の全体図
【図２】その脇当部の拡大図
【図３】その把持部の拡大図
【図４】この考案を脇当部が直線形状をした松葉杖に使用した全体図
【図５】この考案を側方部材が１本の松葉杖に使用した全体図
【符号の説明】
【００１４】  １  松葉杖        ２  側方部材
３  脇当部      ３１  低反発素材      ３２  被覆部材
４  把持部      ４１  低反発素材      ４２  被覆部材
【図１】
0003131382.tif 000003
【図２】
0003131382.tif 000004
【図３】
0003131382.tif 000005
【図４】
0003131382.tif 000006
【図５】
0003131382.tif 000007
(57)【要約】【課題】  仏壇内部に取付けられた照明器具本体を視認できるように容易に取り外し、電球や蛍光管を交換した後、容易にもとの位置に取付けられるようにすること。【解決の手段】  磁石を仏壇内面、或いは照明器具本体に取付け、その吸着力で当該照明器具を仏壇内に固定し、手の力で当該器具本体を容易に脱着できるようにした。【選択図】図１
0003131384.tif 000002
【実用新案登録請求の範囲】
【請求項１】
磁力を用いて照明器具を仏壇内部に吸着取付け、取外しできる事を特徴とした仏壇。
【考案の詳細な説明】
【技術分野】
【０００１】  磁石を介して内部に取り付いた照明器具を容易に脱着し、当該器具に取付けられている電球や蛍光管を簡単に交換できるようにした仏壇。
【背景技術】
【０００２】  従来、仏壇内部に取付けられた照明器具は、本体を目立たないようにする為、外部から隠れたところに取付けられることが多かった。その為、電球や蛍光管などを交換する際は、無理な姿勢で視認できない当該照明器具に取付けられている電球や蛍光管を手探りで取り替えていた。
【考案の開示】
【考案が解決しようする課題】
【０００３】  仏壇内部に取付けられた照明器具を視認できるように容易に取り外し、電球や蛍光管を交換した後、容易にもとの位置に取付けられるようにすること。
【課題を解決するための手段】
【０００４】  磁石を仏壇内面、或いは照明器具本体に取付け、その吸着力で当該照明器具を仏壇内に固定し、手の力で当該器具を容易に脱着できるようにした。
【考案の効果】
【０００５】  照明器具ごと仏壇から容易に取り外せることで、無理な姿勢をすることなく、手探りで電球や蛍光管を探し出すことも無しに、当該照明器具を手にとって電球や蛍光管を交換し、当該照明器具を元の位置に近づけるだけで容易に取付けることができることで、不用意に手を着いて仏具を倒したり、電球や蛍光管の落下事故を防止できる他、無理な姿勢をとる必要がないので、ぎっくり腰などの身体的事故も防止できる。
【考案を実施するための最良の形態】
【０００６】  磁石が完全に吸着するように照明器具本体部分に磁石の形状に合わせた金具を用い、当該照明器具を十分に固定できる吸着力を持った強力な磁石を仏壇内部の当該照明器具が取付けられる場所に固定し、当該照明器具を吸着固定する。
【実施例】
【０００７】  以下、本考案の実施例を、図１から図２を参照して説明する。図１は照明器具本体１が金具３を介して、仏壇内部面５に取付けられた磁石４に吸着して取り付いた状態を示し、図２は照明器具本体１が磁石４から外れた状態を示している。
【図面の簡単な説明】
【０００８】
【図１】  照明器具が取り付いた状態の側面図である。
【図２】  照明器具が外れた状態の側面図である。
【符号の説明】
【０００９】１  照明器具本体
２  蛍光管
３  金具
４  磁石
５  仏壇内部面
【図１】
0003131384.tif 000003
【図２】
0003131384.tif 000004